【手続補正書】
【提出日】平成26年6月19日(2014.6.19)
【手続補正１】
【補正対象書類名】明細書
【補正対象項目名】０１００
【補正方法】変更
【補正の内容】
【０１００】
【表３】
2013533770.tif 000001
この開示は、趣旨及び範囲から逸脱することなく様々な修正及び変更が可能である。したがって、本開示は、上記の実施形態に限定されないが、以下の請求項及び全てのその等価物に詳述する制限によって規制される。本開示は、本明細書に具体的に開示されていない要素を欠いても適宜実施され得る。上記に引用した全ての特許及び特許出願は、参照によりその全体が本明細書に組み込まれる。以下、本発明の実施形態を列記する。
〔１〕
フックストリップであって、
第１の面と、流れ方向の長さとを有する裏材と、
上記流れ方向に位置合わせされ、かつ上記裏材の上記第１の面から突出する複数列のフック要素と、
上記フック要素の少なくとも一対の隣接列間で上記裏材を貫通する断続スリットであって、上記断続スリットは、上記流れ方向に延在し、かつ上記裏材の少なくとも１つの完全架橋領域によって中断された、断続スリットとを含み、
上記フック要素の一対の隣接列間の上記裏材の任意の完全架橋領域が、上記流れ方向の上記裏材の長さの最大５０パーセントの上記流れ方向の結合長を有するフックストリップ。
〔２〕
フックストリップであって、
第１の面と、第１の方向の長さとを有する裏材と、
上記第１の方向に位置合わせされ、かつ上記裏材の上記第１の面から突出する複数列のフック要素と、
上記フック要素の少なくとも一対の隣接列間で上記裏材を貫通する断続スリットであって、上記断続スリットは、上記第１の方向に延在し、かつ上記裏材の少なくとも１つの完全架橋領域によって中断された、断続スリットと、
上記少なくとも１つの完全架橋領域内にある部分的深さの切り込みであって、上記部分的深さの切り込みは、上記断続スリットと同一直線上にあるが上記裏材を貫通していない、部分的深さの切り込みとを含むフックストリップ。
〔３〕
フックストリップであって、
第１の面と、第１の方向の長さとを有する裏材と、
上記第１の方向に位置合わせされ、かつ上記裏材の第１の面から突出する複数列のフック要素と、
上記フック要素の少なくとも３対の隣接列間で上記裏材を貫通する断続スリットであって、上記断続スリットのそれぞれは、上記第１の方向に延在し、かつ上記裏材の完全架橋領域によって中断された、断続スリットとを含み、
上記断続スリットの少なくとも幾つかの間のフック要素の列の数が異なる、フックストリップ。
〔４〕
上記フック要素の少なくとも２対の隣接列間で上記裏材に貫通する断続スリットが存在し、任意の２つの隣接した断続スリットについて、上記架橋領域が、上記流れ方向又は第１の方向に垂直な交差方向に互い違いにされた、項目１〜３のいずれか一項に記載のフックストリップ。
〔５〕
上記フック要素が、ループ係合張出し部を有し、それぞれのループ係合張出し部の少なくとも一部分が、上記部分スリットに対してゼロでない角度で延在する、項目１〜４のいずれか一項に記載のフックストリップ。
〔６〕
フックストリップであって、
第１の面、厚さ、及び第１の方向の長さを有する裏材と、
上記第１の方向に位置合わせされ、かつ上記裏材の上記第１の面から突出する複数の列のフック要素と、
上記フック要素の少なくとも一対の隣接列間で上記裏材の上記第１の面に切削された部分スリットであって、上記部分スリットは、上記第１の方向に延在し、かつ上記裏材の厚さを４０〜９０パーセントの範囲内で貫入する、部分スリットとを含むフックストリップ。
〔７〕
上記フック要素が、ループ係合張出し部を有し、それぞれのループ係合張出し部の少なくとも一部分が、上記部分スリットに対してゼロでない角度で延在する、項目６に記載のフックストリップ。
〔８〕
上記部分スリットが、スリットでない上記裏材の少なくとも１つの架橋領域によって中断される、項目６又は７に記載のフックストリップ。
〔９〕
上記フック要素の少なくとも３対の隣接列の間で上記裏材を貫通する部分スリットが存在し、上記部分スリットの少なくとも幾つかの間で上記フック要素の列数が異なる、項目６〜８のいずれか一項に記載のフックストリップ。
〔１０〕
上記裏材が、支持体に接合されない、項目１〜９のいずれか一項に記載のフックストリップ。
〔１１〕
支持体と、項目１〜９のいずれか一項に記載のフックストリップとを含む、締結積層物であって、上記裏材が、上記第１の面と反対側の第２の面を有し、上記裏材の上記第２の面が、上記支持体の一部分に接合された締結積層物。
〔１２〕
締結積層物であって、
支持体と、
第１の面、第１の面と反対側の第２の面、厚さ、第１の方向の長さ、上縁部及び下縁部を有する裏材であって、上記裏材の上記第２の面が上記支持体の一部分に接合された裏材と、
上記第１の方向に位置合わせされ、かつ上記裏材の上記第１の面から突出する複数列のフック要素と、
上記フック要素の少なくとも３対の隣接列間で上記裏材に切削されたスリットであって、上記スリットのそれぞれは、上記第１の方向に延在し、上記スリットの一方の側に上記裏材の隣接部分を形成し、上記スリットの少なくとも幾つかの間で上記フック要素の列の数が異なる、スリットとを含み、
上記裏材の上記第２の面が接合された支持体の少なくとも一部が、上記第１の方向と垂直な第２の方向に最大１０パーセントの延伸を有する、締結積層物。
〔１３〕
上記スリットのそれぞれが、上記裏材の厚さを貫通し、上記裏材の上記上縁部から上記下縁部まで延在し、上記支持体上に上記裏材の別個の隣接ストリップを形成する、項目１２に記載の締結積層物。
〔１４〕
複数のフックストリップを作製する方法であって、
裏材と、流れ方向に列で位置合わせされ、かつ上記裏材の第１の面から突出する複数の列のフック要素とを有する連続ウェブを形成する工程と、
上記フック要素の少なくとも幾対かの隣接列間で上記裏材の上記流れ方向に不完全スリットを切削する工程であって、上記不完全スリットが上記裏材を切断しない工程と、
上記裏材に上記流れ方向に完全スリットを切削する工程であって、上記完全スリットが、上記裏材を切断する工程とを含み、
上記複数のフックストリップのそれぞれが、上記流れ方向に上記裏材に切削された少なくとも１つの不完全スリットを有する、方法。
〔１５〕
上記連続ウェブが、支持体ウェブに接合されない、項目１４に記載の方法。
【手続補正２】
【補正対象書類名】特許請求の範囲
【補正対象項目名】全文
【補正方法】変更
【補正の内容】
【特許請求の範囲】
【請求項１】
フックストリップであって、
第１の面と、流れ方向の長さとを有する裏材と、
前記流れ方向に位置合わせされ、かつ前記裏材の前記第１の面から突出する複数列のフック要素と、
前記フック要素の少なくとも一対の隣接列間で前記裏材を貫通する断続スリットであって、前記断続スリットは、前記流れ方向に延在し、かつ前記裏材の少なくとも１つの完全架橋領域によって中断された、断続スリットとを含み、
前記フック要素の一対の隣接列間の前記裏材の任意の完全架橋領域が、前記流れ方向の前記裏材の長さの最大５０パーセントの前記流れ方向の結合長を有するフックストリップ。
【請求項２】
フックストリップであって、
第１の面と、第１の方向の長さとを有する裏材と、
前記第１の方向に位置合わせされ、かつ前記裏材の前記第１の面から突出する複数列のフック要素と、
前記フック要素の少なくとも一対の隣接列間で前記裏材を貫通する断続スリットであって、前記断続スリットは、前記第１の方向に延在し、かつ前記裏材の少なくとも１つの完全架橋領域によって中断された、断続スリットと、
前記少なくとも１つの完全架橋領域内にある部分的深さの切り込みであって、前記部分的深さの切り込みは、前記断続スリットと同一直線上にあるが前記裏材を貫通していない、部分的深さの切り込みとを含むフックストリップ。
【請求項３】
フックストリップであって、
第１の面と、第１の方向の長さとを有する裏材と、
前記第１の方向に位置合わせされ、かつ前記裏材の前記第１の面から突出する複数列のフック要素と、
前記フック要素の少なくとも３対の隣接列間で前記裏材を貫通する断続スリットであって、前記断続スリットのそれぞれは、前記第１の方向に延在し、かつ前記裏材の完全架橋領域によって中断された、断続スリットとを含み、
前記断続スリットの少なくとも幾つかの間のフック要素の列の数が異なる、フックストリップ。
【請求項４】
フックストリップであって、
第１の面、厚さ、及び第１の方向の長さを有する裏材と、
前記第１の方向に位置合わせされ、かつ前記裏材の前記第１の面から突出する複数の列のフック要素と、
前記フック要素の少なくとも一対の隣接列間で前記裏材の前記第１の面に切削された部分スリットであって、前記部分スリットは、前記第１の方向に延在し、かつ前記裏材の厚さを４０〜９０パーセントの範囲内で貫入する、部分スリットとを含むフックストリップ。
【請求項５】
前記裏材が、支持体に接合されない、請求項１〜４のいずれか一項に記載のフックストリップ。
【請求項６】
締結積層物であって、
支持体と、
第１の面、第１の面と反対側の第２の面、厚さ、第１の方向の長さ、上縁部及び下縁部を有する裏材であって、前記裏材の前記第２の面が前記支持体の一部分に接合された裏材と、
前記第１の方向に位置合わせされ、かつ前記裏材の前記第１の面から突出する複数列のフック要素と、
前記フック要素の少なくとも３対の隣接列間で前記裏材に切削されたスリットであって、前記スリットのそれぞれは、前記第１の方向に延在し、前記スリットの一方の側に前記裏材の隣接部分を形成し、前記スリットの少なくとも幾つかの間で前記フック要素の列の数が異なる、スリットとを含み、
前記裏材の前記第２の面が接合された支持体の少なくとも一部が、前記第１の方向と垂直な第２の方向に最大１０パーセントの延伸を有する、締結積層物。